(57)【要約】【課題】高い光学性能を有し、小型化が可能で、かつ、近距離撮影可能なレンズ系、該レンズ系を含む交換レンズ装置及びカメラシステムを提供する。【解決手段】少なくとも１枚のレンズ素子で構成されたレンズ群を複数有するレンズ系であって、最物体側に配置されたレンズ群と該最物体側に配置されたレンズ群以外の少なくとも１つのレンズ群とが、フォーカシングの際に像面に対して固定されており、かつ、フォーカシングの際に複数のレンズ群が光軸に沿って移動し、移動群のうち少なくとも２つのレンズ群は負の屈折力を有する１枚のレンズ素子で構成され、条件式Σ（Ｔｎ）／Y  ≦  １．０（ここで、Σ（Tn）：全移動レンズ群の光軸上の厚みの合計、Y  ：最大像高である。）を満足する。【選択図】図１
2015043016.tif 000002
【特許請求の範囲】
【請求項１】
少なくとも１枚のレンズ素子で構成されたレンズ群を複数有するレンズ系であって、
最物体側に配置されたレンズ群と該最物体側に配置されたレンズ群以外の少なくとも１つのレンズ群とが、フォーカシングの際に像面に対して固定されており、
かつ、フォーカシングの際に複数のレンズ群が光軸に沿って移動し、移動群のうち少なくとも２つのレンズ群は負の屈折力を有する１枚のレンズ素子で構成され、
以下条件式を満足するレンズ系：
Σ（Ｔｎ）／Y  ≦  １．０  ・・・（１）
ここで、
Σ（Tn）：全移動レンズ群の光軸上の厚みの合計
Y  ：最大像高
である。
【請求項２】
物体側から像側へと順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群と、を備え、
フォーカシングに際して、第１レンズ群と第３レンズ群と第６レンズ群は像面に対して光軸方向に固定し、第２レンズ群と第４レンズ群と第５レンズ群が光軸に沿って移動し、
第２レンズ群と第５レンズ群は１枚のレンズ素子で構成され、
以下条件式を満足するレンズ系：
０．５  ≦  ｜ｆ１／ｆ｜  ≦  １．５  ・・・（２）
０．５  ≦  ｜ｆ２／ｆ｜  ≦  １．２  ・・・（３）
０．５  ≦  ｜ｆ４／ｆ｜  ≦  １．０  ・・・（４）
ここで、
ｆ１：第１レンズ群の焦点距離
ｆ２：第２レンズ群の焦点距離
ｆ４：第４レンズ群の焦点距離
ｆ  ：無限遠における全系の焦点距離
である。
【請求項３】
物体側から像側へと順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群とを備え、
フォーカシングに際して、第１レンズ群と第３レンズ群と第５レンズ群は像面に対して光軸方向に固定し、第２レンズ群と第４レンズ群が光軸に沿って移動し、
第２レンズ群は１枚のレンズ素子で構成され、
以下条件式を満足するレンズ系：
０．５  ≦  ｜ｆ１／ｆ｜  ≦  １．５  ・・・（２）
０．５  ≦  ｜ｆ２／ｆ｜  ≦  １．２  ・・・（３）
０．５  ≦  ｜ｆ４／ｆ｜  ≦  １．０  ・・・（４）
ここで、
ｆ１：第１レンズ群の焦点距離
ｆ２：第２レンズ群の焦点距離
ｆ４：第４レンズ群の焦点距離
ｆ  ：無限遠における全系の焦点距離
である。
【請求項４】
物体側から像側へと順に、正の屈折力を有する第１レンズ群と、負の屈折力を有する第２レンズ群と、負の屈折力を有する第３レンズ群と、正の屈折力を有する第４レンズ群と、を備え、
フォーカシングに際して、第１レンズ群と第４レンズ群は像面に対して光軸方向に固定し、
第２レンズ群と第３レンズ群が光軸に沿って移動し、
第２レンズ群と第３レンズ群は１枚のレンズで構成され、
第１レンズ群の一部を光軸と垂直な方向に移動し、像ぶれ補正を行い、
以下条件式を満足するレンズ系：
０．２  ≦  ｜ｆ１’／ｆ’｜  ≦  ０．８  ・・・（５）
０．２  ≦  ｜ｆ２’／ｆ’｜  ≦  ０．８  ・・・（６）
１．５  ≦  ｜ｆ３’／ｆ’｜  ≦  ３．０  ・・・（７）
ここで、
ｆ１’：第１レンズ群の焦点距離
ｆ２’：第２レンズ群の焦点距離
ｆ３’：第３レンズ群の焦点距離
ｆ’  ：無限遠における全系の焦点距離
である。
【請求項５】
前記絞りより像側に位置する移動レンズ群のうち１つが以下条件式を満足する請求項１から請求項４の何れか１項に記載のレンズ系：
１．０  ≦  ｜（１―βｉ＾２）・βｉ＋１＾２｜  ≦  ６．０     ・・・（８）
ここで、
βｉ：物体距離無限遠における第ｉ番目の移動レンズ群の横倍率
βｉ＋１：物体距離無限遠における第ｉ番目の移動レンズ群の後方に位置する全てのレンズ群の横倍率
である。
【請求項６】
前記第４レンズ群は物体側より順に正の屈折力を有する接合レンズと正の屈折力を有するレンズ素子から構成され、前記接合レンズは物体側より順に正の屈折力を有するレンズ素子と負の屈折力を有するレンズ素子から構成されることを特徴とする、請求項２又は請求項３に記載のレンズ系。
【請求項７】
前記第２レンズ群の負の屈折力を有するレンズ素子が以下条件式を満足する請求項２又は請求項３に記載のレンズ系：
３０．０  ≦  νｄ２  ≦  ５０．０・・・（９）
ここで、
νｄ２：第２レンズ群の負の屈折力を有するレンズ素子のアッベ数
である。
【請求項８】
前記第５レンズ群の負の屈折力を有するレンズ素子は以下条件式を満足する請求項２又は請求項３に記載のレンズ系：
１７．０  ≦  νｄ５  ≦  ４０．０・・・（１０）
ここで、
νｄ５：第５レンズ群の負の屈折力を有するレンズ素子のアッベ数
である。
【請求項９】
前記第３レンズ群は、その一部、または、全てを光軸と垂直方向に可動し、防振作用を有する、請求項２又は請求項３に記載のレンズ系。
【請求項１０】
開口絞りが、前記第３レンズ群の像側に配置され、フォーカシング動作時には固定である、請求項２又は請求項３に記載のレンズ系。
【請求項１１】
開口絞りが、前記第１レンズ群内に配置される、請求項４に記載のレンズ系。
【請求項１２】
前記第１レンズ群は絞りより物体側の第１部分群と絞りより像側の第２部分群から構成され、以下の条件式を満足する、請求項４に記載のレンズ系：
３．０  ≦  ｜ｆｆ１／ｆｒ１｜  ≦  ６．０     ・・・（１１）
ここで、
ｆｆ１：第１レンズ群の絞りより物体側の第１部分群の焦点距離
ｆｒ１：第１レンズ群の絞りより像面側の第２部分群の焦点距離
である。
【請求項１３】
前記第３レンズ群を構成するレンズ素子は以下条件式を満足する、請求項４に記載のレンズ系：
０．５  ≦  （ｒ１＋ｒ２）／（ｒ１−ｒ２）  ≦  １．８・・・（１２）
ここで、
ｒ１：第３レンズ群を構成する単レンズ素子の物体側曲率半径
ｒ２：第３レンズ群を構成する単レンズ素子の像面側曲率半径
である。
【請求項１４】
前記第２レンズ群の負の屈折力を有するレンズ素子は、以下条件式を満足する、請求項４に記載のレンズ系：
５０．０  ≦  νｄ２‘  ≦  ８５．０・・・（１３）
ここで、
νｄ２‘：第２レンズ群の負の屈折力を有するレンズ素子のアッベ数
である。
【請求項１５】
前記第３レンズ群の負の屈折力を有するレンズ素子は、以下条件式を満足する、請求項４に記載のレンズ系：
２０．０  ≦  νｄ３‘  ≦  ３５．０・・・（１４）
ここで、
νｄ３：第３レンズ群の負の屈折力を有するレンズ素子のアッベ数
である。
【請求項１６】
請求項１から請求項４の何れか１項に記載のレンズ系であって、
前記撮影レンズが形成する光学像を受光して電気的な画像信号に変換する撮像素子を含むカメラ本体との接続が可能なレンズマウント部と、
を備える、交換レンズ装置。
【請求項１７】
請求項１から請求項４の何れか１項に記載の撮影レンズを含む交換レンズ装置と、
前記交換レンズ装置とカメラマウント部を介して着脱可能に接続され、前記撮影レンズが形成する光学像を受光して電気的な画像信号に変換する撮像素子を含むカメラ本体と、
を備える、カメラシステム。
【発明の詳細な説明】
【技術分野】
【０００１】
本開示は、高い光学性能を有し、小型化が可能で、近距離撮影可能なレンズ系、該レンズ系を含む交換レンズ装置及びカメラシステムに関する。例えば、本開示は、等倍付近までの近距離撮影が可能なレンズ系、交換レンズ装置、カメラシステムに関する。
【背景技術】
【０００２】
特許文献１は、正正負の３群構成で、フォーカシング動作時に第１レンズ群と第２レンズ群を光軸方向に異なる速度で移動させるフローティング方式を採用したレンズ系を開示している。
【０００３】
特許文献２は、正負正負の４群構成で、フォーカシング動作時に第２レンズ群と第３レンズ群が移動するレンズ系を開示している。
【０００４】
特許文献３は、正負正負の４群構成で、フォーカシング動作時に第２レンズ群と第３レンズ群が移動し、第１レンズ群の一部を光軸と垂直方向に移動させることで防振効果を有することを特徴とするレンズ系を開示している。
【先行技術文献】
【特許文献】
【０００５】
【特許文献１】特開２０１２−１２３１２２号公報
【特許文献２】特開２００９−１３９４１６号公報
【特許文献３】特開２００６−１７１４３２号公報
【発明の概要】
【発明が解決しようとする課題】
【０００６】
特許文献１のレンズ系は、フォーカス群の重量が大きいこと、移動量が大きいこと、フォーカシングによる画角変動が大きいことから動画にも適した高速で静穏なAF動作を行うことには向いていない。
【０００７】
特許文献２のレンズ系は、動画にも適した高速で静穏なAF動作を達成しようとする場合、外径が大きく、複数枚のレンズで構成された各フォーカス群を動かすために大型のアクチュエータが必要となり、レンズ鏡筒の小型化には向いていない。
【０００８】
特許文献３のレンズ系は、さきほどと同様、動画にも適した高速で静穏なＡＦ動作を達成しようとする場合、複数枚のレンズ素子で構成された各フォーカス群を動かすために大型のアクチュエータが必要となり、レンズ鏡筒の小型化には向いていない。また、第１レンズ群の一部である防振レンズ群の重量と外径が大きく、レンズ鏡筒がさらに大型化してしまう。
【０００９】
本開示は、高い光学性能を有し、小型化が可能で、かつ、近距離撮影可能なレンズ系、該レンズ系を含む交換レンズ装置及びカメラシステムを提供することを目的とする。
【課題を解決するための手段】
【００１０】
本開示にかかるレンズ系は、
少なくとも１枚のレンズ素子で構成されたレンズ群を複数有するレンズ系であって、
最物体側に配置されたレンズ群と該最物体側に配置されたレンズ群以外の少なくとも１つのレンズ群とが、フォーカシングの際に像面に対して固定されており、
かつ、フォーカシングの際に複数のレンズ群が光軸に沿って移動し、移動群のうち少なくとも２つのレンズ群は負の屈折力を有する１枚のレンズ素子で構成され、
以下条件式（１）： 
Σ（Ｔｎ）／Y  ≦  １．０  ・・・（１）
（ここで、
Σ（Tn）：全移動レンズ群の光軸上の厚みの合計
Y  ：最大像高
である。）
を満足する。
【００１１】
本開示にかかる交換レンズ装置は、
少なくとも１枚のレンズ素子で構成されたレンズ群を複数有するレンズ系であって、
最物体側に配置されたレンズ群と該最物体側に配置されたレンズ群以外の少なくとも１つのレンズ群とが、フォーカシングの際に像面に対して固定されており、
かつ、フォーカシングの際に複数のレンズ群が光軸に沿って移動し、移動群のうち少なくとも２つのレンズ群は負の屈折力を有する１枚のレンズ素子で構成され、
以下条件式（１）：
Σ（Ｔｎ）／Y  ≦  １．０  ・・・（１）
（ここで、
Σ（Tn）：全移動レンズ群の光軸上の厚みの合計
Y  ：最大像高
である。）
を満足するレンズ系と、
レンズ系が形成する光学像を受光して電気的な画像信号に変換する撮像素子を含むカメラ本体との接続が可能なレンズマウント部とを備える、交換レンズ装置に関する。
【００１２】
本開示にかかるカメラシステムは、
少なくとも１枚のレンズ素子で構成されたレンズ群を複数有するレンズ系であって、
最物体側に配置されたレンズ群と該最物体側に配置されたレンズ群以外の少なくとも１つのレンズ群とが、フォーカシングの際に像面に対して固定されており、
かつ、フォーカシングの際に複数のレンズ群が光軸に沿って移動し、移動群のうち少なくとも２つのレンズ群は負の屈折力を有する１枚のレンズ素子で構成され、
以下条件式（１）：
Σ（Ｔｎ）／Y  ≦  １．０  ・・・（１）
（ここで、
Σ（Tn）：全移動レンズ群の光軸上の厚みの合計
Y  ：最大像高
である。）
を満足するレンズ系を含む交換レンズ装置と、
交換レンズ装置とカメラマウント部を介して着脱可能に接続され、レンズ系が形成する光学像を受光して電気的な画像信号に変換する撮像素子を含むカメラ本体とを備える、
カメラシステムに関する。
【発明の効果】
【００１３】
本開示によれば、高い光学性能を有し、小型化が可能で、かつ、近距離撮影可能なレンズ系、該レンズ系を含む交換レンズ装置及びカメラシステムを提供することができる。
【図面の簡単な説明】
【００１４】
【図１】実施の形態１（実施例１）に係るレンズ系の物体距離無限遠、撮影倍率０．５倍、撮影倍率１．０倍の合焦状態を示すレンズ配置図
【図２】実施例１に係るレンズ系の物体距離無限遠、撮影倍率０．５倍、撮影倍率１．０倍の合焦状態における縦収差図
【図３】実施例１に係るレンズ系の物体距離無限遠における、像ぶれ補正を行っていない基本状態及び像ぶれ補正状態での横収差図
【図４】実施の形態２（実施例２）に係るレンズ系の物体距離無限遠、撮影倍率０．５倍、撮影倍率１．０倍の合焦状態を示すレンズ配置図
【図５】実施例２に係るレンズ系の物体距離無限遠、撮影倍率０．５倍、撮影倍率１．０倍の合焦状態における縦収差図
【図６】実施例２に係るレンズ系の物体距離無限遠における、像ぶれ補正を行っていない基本状態及び像ぶれ補正状態での横収差図
【図７】実施の形態３（実施例３）に係るレンズ系の物体距離無限遠、撮影倍率０．５倍、撮影倍率１．０倍の合焦状態を示すレンズ配置図
【図８】実施例３に係るレンズ系の物体距離無限遠、撮影倍率０．５倍、撮影倍率１．０倍の合焦状態における縦収差図
【図９】実施例３に係るレンズ系の物体距離無限遠における、像ぶれ補正を行っていない基本状態及び像ぶれ補正状態での横収差図
【図１０】実施の形態４（実施例４）に係るレンズ系の物体距離無限遠、撮影倍率０．５倍、撮影倍率１．０倍の合焦状態を示すレンズ配置図
【図１１】実施例４に係るレンズ系の物体距離無限遠、撮影倍率０．５倍、撮影倍率１．０倍の合焦状態における縦収差図
【図１２】実施例４に係るレンズ系の物体距離無限遠における、像ぶれ補正を行っていない基本状態及び像ぶれ補正状態での横収差図
【図１３】実施の形態５（実施例５）に係るレンズ系の物体距離無限遠、撮影倍率０．５倍、撮影倍率１．０倍の合焦状態を示すレンズ配置図
【図１４】実施例５に係るレンズ系の物体距離無限遠、撮影倍率０．５倍、撮影倍率１．０倍の合焦状態における縦収差図
【図１５】実施例５に係るレンズ系の物体距離無限遠における、像ぶれ補正を行っていない基本状態及び像ぶれ補正状態での横収差図
【図１６】実施の形態６（実施例６）に係るレンズ系の物体距離無限遠、撮影倍率０．５倍、撮影倍率１．０倍の合焦状態を示すレンズ配置図
【図１７】実施例６に係るレンズ系の物体距離無限遠、撮影倍率０．５倍、撮影倍率１．０倍の合焦状態における縦収差図
【図１８】実施例６に係るレンズ系の物体距離無限遠における、像ぶれ補正を行っていない基本状態及び像ぶれ補正状態での横収差図
【図１９】実施の形態７（実施例７）に係るレンズ系の物体距離無限遠、撮影倍率０．５倍、撮影倍率１．０倍の合焦状態を示すレンズ配置図
【図２０】実施例７に係るレンズ系の物体距離無限遠、撮影倍率０．５倍、撮影倍率１．０倍の合焦状態における縦収差図
【図２１】実施例７に係るレンズ系の物体距離無限遠における、像ぶれ補正を行っていない基本状態及び像ぶれ補正状態での横収差図
【図２２】実施の形態８に係るレンズ交換式デジタルカメラシステムの概略構成図
【発明を実施するための形態】
【００１５】
（実施の形態１〜７）
図１、４、７，１０，１３，１６及び１９は、各々実施の形態１〜７に係るレンズ系のレンズ配置図であり、いずれも無限遠合焦状態、撮影倍率０．５倍合焦状態、撮影倍率１．０倍合焦状態にあるレンズ系を表している。
【００１６】
各図において、（ａ）図は無限遠合焦状態のレンズ構成、（ｂ）図は撮影倍率０．５倍合焦状態（横倍率０．５）のレンズ構成、（ｃ）図は撮影倍率１．０倍合焦状態（横倍率１．０）のレンズ構成をそれぞれ表している。また、各図において（ａ）図と（ｂ）図との間に設けられた折れ線の矢印は、上から順に、無限遠、撮影倍率０．５倍、撮影倍率１．０倍の各状態におけるレンズ群の位置を結んで得られる直線である。無限遠合焦状態と撮影倍率０．５倍との間、撮影倍率０．５倍と１．０倍との間は、単純に直線で接続されているだけであり、実際の各レンズ群の動きとは異なる。
【００１７】
なお、図１、４、７、１０、１３、１６及び１９において、特定の面に付されたアスタリスク＊は、該面が非球面であることを示している。また各図において、各レンズ群の符号に付された記号（＋）及び記号（−）は各レンズ群の屈折力の符号に対応する。また各図において、最も右側に記載された直線は、像面Sの位置を表す。
【００１８】
さらに、図１、４，７，１０の３群内と１３，１６、１９の１群内に示すように、それぞれの群には開口絞りAが設けられている。
（実施の形態１）
図１に示すように、実施の形態１に係るレンズ系において、第１レンズ群G1は、物体側から像面側へと順に、物体側に凸面を向けた負メニスカス形状の第１レンズ素子L1と、物体側に凸面を向けた正メニスカス形状の第２レンズ素子L2と、両凸形状の第３レンズ素子L3とからなる。第２レンズ素子L2は、その物体側側面が非球面である。
【００１９】
実施の形態１に係るレンズ系において、第２レンズ群G2は物体側に凸面を向けた負メニスカス形状の第４レンズ素子L４のみからなる。第４レンズ素子L4は、その像側側面が非球面である。
【００２０】
また実施の形態１に係るレンズ系において、第３レンズ群G3は両凸形状の第５レンズ素子L5のみからなる。第５レンズ素子の像面側に開口絞りAが設けられている。
【００２１】
また、実施の形態１に係るレンズ系において、第４レンズ群G4は、物体側から像面側へと順に、両凸形状の第６レンズ素子L6と、物体側に凹面を向けた負メニスカス形状の第７レンズ素子L7と両凸形状の第８レンズ素子L8とからなる。これらのうち第６レンズ素子L6と第７レンズ素子L7とは接合されている。
【００２２】
また、実施の形態１に係るレンズ系において、第５レンズ群G5は、物体側に凸面を向けた負メニスカス形状の第９レンズ素子L9のみからなる。
【００２３】
また、実施の形態２に係るレンズ系において、第６レンズ群G6は、物体側から像面側へと順に、両凹形状の第１０レンズ素子L10と両凸形状の第１１レンズ素子L11とからなる。これらのうち第１０レンズ素子L10と第１１レンズ素子L11とは接合されている。
【００２４】
なお、実施の形態１に係るレンズ系では、第３レンズ群G3を構成するレンズ素子である第５レンズ素子L5が、後述する、像のぶれを光学的に補正するために光軸に対して垂直方向に移動する像ぶれ補正レンズ群に相当する。
【００２５】
実施の形態１に係るレンズ系において、無限遠合焦状態から近接物体合焦状態へのフォーカシングの際に、第２レンズ群G2は単調に像面側へ移動し、第４レンズ群G4と、第５レンズ群G5は単調に物体側へ移動し、第１レンズ群G1、第３レンズ群G3及び第６レンズ群G6は像面Sに対して固定されている。すなわち、フォーカシングに際して、第１レンズ群G1と第２レンズ群G2の間隔、第４レンズ群G4と第５レンズ群G5の間隔、第５レンズ群G5と第６レンズ群G6の間隔が増大し、第２レンズ群G2と第３レンズ群G3の間隔、第３レンズ群G3と第４レンズ群G4の間隔が減少するように第２レンズ群G2、第４レンズ群G4、第５レンズ群G5が光軸に沿ってそれぞれ移動する。
（実施の形態２）
図４に示すように、実施の形態２に係るレンズ系において、第１レンズ群G1は、物体側から像面側へと順に、物体側に凸面を向けた負メニスカス形状の第１レンズ素子L1と、物体側に凸面を向けた正メニスカス形状の第２レンズ素子L2と、両凸形状の第３レンズ素子L3とからなる。第２レンズ素子L2は、その両側面が非球面である。
【００２６】
実施の形態２に係るレンズ系において、第２レンズ群G2は物体側に凸面を向けた負メニスカス形状の第４レンズ素子L４のみからなる。第４レンズ素子L4は、その像側側面が非球面である。
【００２７】
また実施の形態２に係るレンズ系において、第３レンズ群G3は両凸形状の第５レンズ素子L5のみからなる。第５レンズ素子の像面側に開口絞りAが設けられている。
【００２８】
また、実施の形態２に係るレンズ系において、第４レンズ群G4は、物体側から像面側へと順に、両凸形状の第６レンズ素子L6と、物体側に凹面を向けた負メニスカス形状の第７レンズ素子L7と両凸形状の第８レンズ素子L8とからなる。これらのうち第６レンズ素子L6と第７レンズ素子L7とは接合されている。
【００２９】
また、実施の形態２に係るレンズ系において、第５レンズ群G5は、物体側に凸面を向けた負メニスカス形状の第９レンズ素子L9のみからなる。
【００３０】
また、実施の形態２に係るレンズ系において、第６レンズ群G6は、物体側から像面側へと順に、両凹形状の第１０レンズ素子L10と両凸形状の第１１レンズ素子L11とからなる。これらのうち第１０レンズ素子L10と第１１レンズ素子L11とは接合されている。
【００３１】
なお、実施の形態２に係るレンズ系では、第３レンズ群G3を構成するレンズ素子である第５レンズ素子L5が、後述する、像のぶれを光学的に補正するために光軸に対して垂直方向に移動する像ぶれ補正レンズ群に相当する。
【００３２】
実施の形態２に係るレンズ系において、無限遠合焦状態から近接物体合焦状態へのフォーカシングの際に、第２レンズ群G2は単調に像面側へ移動し、第４レンズ群G4と、第５レンズ群G5は単調に物体側へ移動し、第１レンズ群G1、第３レンズ群G3及び第６レンズ群G6は像面Sに対して固定されている。すなわち、フォーカシングに際して、第１レンズ群G1と第２レンズ群G2の間隔、第４レンズ群G4と第５レンズ群G5の間隔、第５レンズ群G5と第６レンズ群G6の間隔が増大し、第２レンズ群G2と第３レンズ群G3の間隔、第３レンズ群G3と第４レンズ群G4の間隔が減少するように第２レンズ群G2、第４レンズ群G4、第５レンズ群G5が光軸に沿ってそれぞれ移動する。
（実施の形態３）
図７に示すように、実施の形態３に係るレンズ系において、第１レンズ群G1は、物体側から像面側へと順に、物体側に凸面を向けた負メニスカス形状の第１レンズ素子L1と、両凸形状の第２レンズ素子L2とからなる。第２レンズ素子L2は、その両側面が非球面である。
【００３３】
実施の形態３に係るレンズ系において、第２レンズ群G2は物体側に凸面を向けた負メニスカス形状の第３レンズ素子L3のみからなる。第３レンズ素子L3は、その像側側面が非球面である。
【００３４】
また実施の形態３に係るレンズ系において、第３レンズ群G3は両凸形状の第４レンズ素子L4のみからなる。第４レンズ素子の像面側に開口絞りAが設けられている。
【００３５】
また、実施の形態３に係るレンズ系において、第４レンズ群G4は、物体側から像面側へと順に、両凸形状の第５レンズ素子L5と、物体側に凹面を向けた負メニスカス形状の第６レンズ素子L6と両凸形状の第７レンズ素子L7とからなる。これらのうち第５レンズ素子L5と第６レンズ素子L6とは接合されている。
【００３６】
また、実施の形態３に係るレンズ系において、第５レンズ群G5は、物体側に凸面を向けた負メニスカス形状の第８レンズ素子L8のみからなる。
【００３７】
また、実施の形態３に係るレンズ系において、第６レンズ群G6は、物体側から像面側へと順に、両凹形状の第９レンズ素子L9と両凸形状の第１０レンズ素子L10とからなる。これらのうち第９レンズ素子L9と第１０レンズ素子L10とは接合されている。
【００３８】
なお、実施の形態３に係るレンズ系では、第３レンズ群G3を構成するレンズ素子である第４レンズ素子L4が、後述する、像のぶれを光学的に補正するために光軸に対して垂直方向に移動する像ぶれ補正レンズ群に相当する。
【００３９】
実施の形態３に係るレンズ系において、無限遠合焦状態から近接物体合焦状態へのフォーカシングの際に、第２レンズ群G2は単調に像面側へ移動し、第４レンズ群G4と、第５レンズ群G5は単調に物体側へ移動し、第１レンズ群G1、第３レンズ群G3及び第６レンズ群G6は像面Sに対して固定されている。すなわち、フォーカシングに際して、第１レンズ群G1と第２レンズ群G2の間隔、第４レンズ群G4と第５レンズ群G5の間隔、第５レンズ群G5と第６レンズ群G6の間隔が増大し、第２レンズ群G2と第３レンズ群G3の間隔、第３レンズ群G3と第４レンズ群G4の間隔が減少するように第２レンズ群G2、第４レンズ群G4、第５レンズ群G5が光軸に沿ってそれぞれ移動する。
（実施の形態４）
図１０に示すように、実施の形態４に係るレンズ系において、第１レンズ群G1は、物体側から像面側へと順に、物体側に凸面を向けた負メニスカス形状の第１レンズ素子L1と、両凸形状の第２レンズ素子L2と、物体側に凸面を向けた正メニスカス形状の第３レンズ素子L3とからなる。第２レンズ素子L2は、その両側面が非球面である。
【００４０】
実施の形態４に係るレンズ系において、第２レンズ群G2は物体側に凸面を向けた負メニスカス形状の第４レンズ素子L４のみからなる。第４レンズ素子L4は、その両側面が非球面である。
【００４１】
また実施の形態４に係るレンズ系において、第３レンズ群G3は両凸形状の第５レンズ素子L5のみからなる。第５レンズ素子の像面側に開口絞りAが設けられている。
【００４２】
また、実施の形態４に係るレンズ系において、第４レンズ群G4は、物体側から像面側へと順に、両凸形状の第６レンズ素子L6と、物体側に凹面を向けた負メニスカス形状の第７レンズ素子L7と両凸形状の第８レンズ素子L8とからなる。これらのうち第６レンズ素子L6と第７レンズ素子L7とは接合されている。
【００４３】
また、実施の形態４に係るレンズ系において、第５レンズ群G5は、物体側から像面側へと順に、物体側に凸面を向けた負メニスカス形状の第９レンズ素子L9と両凹形状の第１０レンズ素子L10と両凸形状の第１１レンズ素子L11とからなる。これらのうち第１０レンズ素子L10と第１１レンズ素子L11とは接合されている。
【００４４】
なお、実施の形態４に係るレンズ系では、第３レンズ群G3を構成するレンズ素子である第５レンズ素子L5が、後述する、像のぶれを光学的に補正するために光軸に対して垂直方向に移動する像ぶれ補正レンズ群に相当する。
【００４５】
実施の形態４に係るレンズ系において、無限遠合焦状態から近接物体合焦状態へのフォーカシングの際に、第２レンズ群G2は単調に像面側へ移動し、第４レンズ群G4は単調に物体側へ移動し、第１レンズ群G1、第３レンズ群G3及び第５レンズ群G5は像面Sに対して固定されている。すなわち、フォーカシングに際して、第１レンズ群G1と第２レンズ群G2の間隔、第４レンズ群G4と第５レンズ群G5の間隔が増大し、第２レンズ群G2と第３レンズ群G3の間隔、第３レンズ群G3と第４レンズ群G4の間隔が減少するように第２レンズ群G2、第４レンズ群G4が光軸に沿ってそれぞれ移動する。
（実施の形態５）
図１３に示すように、実施の形態５に係るレンズ系において、第１レンズ群G1は、物体側から像面側へと順に、物体側に凸面を向けた負メニスカス形状の第１レンズ素子L1と、両凸形状の第２レンズ素子L2と、物体側に凸面を向けた負メニスカス形状の第３レンズ素子L3と、両凸形状の第４レンズ素子L4と、両凸形状の第５レンズ素子L5とからなる。これらのうち第３レンズ素子L3と第４レンズ素子L4とは接合されている。また、第２レンズ素子L2は、その両側面が非球面である。さらに、第２レンズ素子L2と第３レンズ素子L3の間には、開口絞りAが設けられている。
【００４６】
実施の形態５に係るレンズ系において、第２レンズ群G2は両凹形状の第６レンズ素子L6のみからなる。第６レンズ素子L6は、その両側面が非球面である。
【００４７】
また実施の形態５に係るレンズ系において、第３レンズ群G3は物体側に凸面を向けた負メニスカス形状の第７レンズ素子L7のみからなる。第７レンズ素子L7は、その両側面が非球面である。さらに、第７レンズ素子L7は樹脂材料から形成されている。
【００４８】
また、実施の形態５に係るレンズ系において、第４レンズ群G4は、両凸形状の第８レンズ素子L8のみからなる。
【００４９】
なお、実施の形態５に係るレンズ系では、第１レンズ群G1を構成するレンズ素子である第５レンズ素子L5が、後述する、像のぶれを光学的に補正するために光軸に対して垂直方向に移動する像ぶれ補正レンズ群に相当する。
【００５０】
実施の形態５に係るレンズ系において、無限遠合焦状態から近接物体合焦状態へのフォーカシングの際に、第２レンズ群G2は単調に像面側へ移動し、第３レンズ群G3は単調に物体側へ移動し、第１レンズ群G1、第４レンズ群G4は像面Sに対して固定されている。すなわち、フォーカシングに際して、第１レンズ群G1と第２レンズ群G2の間隔、第３レンズ群G3と第４レンズ群G4の間隔が増大し、第２レンズ群G2と第３レンズ群G3の間隔が減少するように第２レンズ群G2、第３レンズ群G3が光軸に沿ってそれぞれ移動する。
（実施の形態６）
図１６に示すように、実施の形態６に係るレンズ系において、第１レンズ群G1は、物体側から像面側へと順に、物体側に凸面を向けた負メニスカス形状の第１レンズ素子L1と、両凸形状の第２レンズ素子L2と、物体側に凸面を向けた負メニスカス形状の第３レンズ素子L3と、物体側に凸面を向けた負メニスカス形状の第４レンズ素子L4と、両凸形状の第５レンズ素子L5と、両凸形状の第６レンズ素子L6とからなる。これらのうち第４レンズ素子L4と第５レンズ素子L5とは接合されている。また、第２レンズ素子L2は、その両側面が非球面である。さらに、第３レンズ素子L3と第４レンズ素子L4の間には、開口絞りAが設けられている。
【００５１】
実施の形態６に係るレンズ系において、第２レンズ群G2は両凹形状の第７レンズ素子L7のみからなる。第７レンズ素子L7は、その両側面が非球面である。
【００５２】
また実施の形態６に係るレンズ系において、第３レンズ群G3は物体側に凸面を向けた負メニスカス形状の第８レンズ素子L8のみからなる。第８レンズ素子L8は、その両側面が非球面である。さらに、第８レンズ素子L8は樹脂材料から形成されている。
【００５３】
また、実施の形態６に係るレンズ系において、第４レンズ群G4は、両凸形状の第９レンズ素子L9のみからなる。
【００５４】
なお、実施の形態６に係るレンズ系では、第１レンズ群G1を構成するレンズ素子である第３レンズ素子L3が、後述する、像のぶれを光学的に補正するために光軸に対して垂直方向に移動する像ぶれ補正レンズ群に相当する。
【００５５】
実施の形態６に係るレンズ系において、無限遠合焦状態から近接物体合焦状態へのフォーカシングの際に、第２レンズ群G2は単調に像面側へ移動し、第３レンズ群G3は単調に物体側へ移動し、第１レンズ群G1、第４レンズ群G4は像面Sに対して固定されている。すなわち、フォーカシングに際して、第１レンズ群G1と第２レンズ群G2の間隔、第３レンズ群G3と第４レンズ群G4の間隔が増大し、第２レンズ群G2と第３レンズ群G3の間隔が減少するように第２レンズ群G2、第３レンズ群G3が光軸に沿ってそれぞれ移動する。
（実施の形態７）
図１９に示すように、実施の形態７に係るレンズ系において、第１レンズ群G1は、物体側から像面側へと順に、物体側に凸面を向けた負メニスカス形状の第１レンズ素子L1と、両凸形状の第２レンズ素子L2と、物体側に凸面を向けた負メニスカス形状の第３レンズ素子L3と、両凸形状の第４レンズ素子L4と、両凸形状の第５レンズ素子L5とからなる。これらのうち第３レンズ素子L3と第４レンズ素子L4とは接合されている。また、第２レンズ素子L2は、その両側面が非球面である。さらに、第２レンズ素子L2と第３レンズ素子L3の間には、開口絞りAが設けられている。
【００５６】
実施の形態７に係るレンズ系において、第２レンズ群G2は両凹形状の第６レンズ素子L6のみからなる。第６レンズ素子L6は、その両側面が非球面である。
【００５７】
また実施の形態７に係るレンズ系において、第３レンズ群G3は物体側に凸面を向けた負メニスカス形状の第７レンズ素子L7のみからなる。第７レンズ素子L7は、その両側面が非球面である。さらに、第７レンズ素子L7は樹脂材料から形成されている。
【００５８】
また、実施の形態７に係るレンズ系において、第４レンズ群G4は、両凸形状の第８レンズ素子L8のみからなる。
【００５９】
なお、実施の形態７に係るレンズ系では、第１レンズ群G1を構成するレンズ素子である第５レンズ素子L5が、後述する、像のぶれを光学的に補正するために光軸に対して垂直方向に移動する像ぶれ補正レンズ群に相当する。
【００６０】
実施の形態７に係るレンズ系において、無限遠合焦状態から近接物体合焦状態へのフォーカシングの際に、第２レンズ群G2は単調に像面側へ移動し、第３レンズ群G3は単調に物体側へ移動し、第１レンズ群G1、第４レンズ群G4は像面Sに対して固定されている。すなわち、フォーカシングに際して、第１レンズ群G1と第２レンズ群G2の間隔、第３レンズ群G3と第４レンズ群G4の間隔が増大し、第２レンズ群G2と第３レンズ群G3の間隔が減少するように第２レンズ群G2、第３レンズ群G3が光軸に沿ってそれぞれ移動する。
【００６１】
実施の形態１〜７に係るレンズ系では、少なくとも１枚のレンズ素子で構成されたレンズ群を複数有するレンズ系であって、フォーカシング動作時の可動群構成枚数を最小化することで、可動群の重量を低減し、高速なAF動作を達成できるという利点がある。
【００６２】
実施の形態１〜７に係るレンズ系では、絞りより前の第１レンズ群は、負の屈折力を有する負レンズ素子と、正の屈折力を有する正レンズ素子で構成しているので、色収差を小さく抑えることができるという利点がある。
【００６３】
実施の形態１〜７に係るレンズ系では、無限遠合焦状態から近接物体へのフォーカシングの際に、複数のレンズ群が移動する。これにより、フォーカシング時の収差変動を小さく抑えることができるという利点がある。
【００６４】
実施の形態１〜７に係るレンズ系では、無限遠合焦状態から近接物体へのフォーカシングの際に、第１レンズ群、最終群および絞りを含む群が像面に対して固定されて構成されるので、これら固定群が偏心しにくい。これにより、製造時の偏心による収差変動を小さく抑えることができるという利点がある。
【００６５】
実施の形態１〜７に係るレンズ系では、絞りを含む群の一部レンズ素子が像のぶれを光学的に補正するために光軸に対して垂直方向に移動する構成なので、像ぶれ補正群を少ない枚数で構成できるという利点がある。
【００６６】
実施の形態１〜４に係るレンズ系では、第３群内の両凸レンズ素子の後ろに開口絞りが配置される。これにより開口絞りの径を小さくできるという利点がある。
【００６７】
実施の形態１〜７に係るレンズ系では、開口絞りの直後に正レンズ素子と負レンズ素子からなる接合レンズを配置することで軸上色収差、球面収差を良好に補正できるという利点がある。
【００６８】
例えば、実施の形態１〜３及び５〜７に係るレンズ系のように、
少なくとも１枚のレンズ素子で構成されたレンズ群を複数有する等倍付近までの近距離撮影が可能なレンズ系であって、
最物体側に配置されたレンズ群と該最物体側に配置されたレンズ群以外の少なくとも１つのレンズ群とが、フォーカシングの際に像面に対して固定されており、
かつ、フォーカシングの際に複数のレンズ群が光軸に沿って移動し、移動群のうち少なくとも２つのレンズ群は負の屈折力を有する１枚のレンズ素子で構成されるレンズ系は、以下の条件（１）を満足することが望ましい。
【００６９】
Σ（Ｔｎ）／Y  ≦  １．０  ・・・（１）
ここで、
Σ（Tn）：全移動レンズ群の光軸上の厚みの合計
Y  ：最大像高
である。
【００７０】
前記条件（１）は、全移動レンズ群の光軸上の厚みを規定する条件である。条件（１）を満足しない場合には、移動レンズ群の軽量化が困難となるため、移動群を高速・静音・低電力で駆動させることが困難となる。
【００７１】
なお、さらに以下の条件式（１）’を満足することにより、前記効果をさらに奏功させることができる。
Σ（Ｔｎ）／Y  ≦  ０．９  ・・・（１）’
例えば実施の形態１〜４に係るレンズ系のように、基本構成を有するレンズ系は、以下の条件（２）、（３）、（４）を満足することが好ましい。
０．５  ≦  ｜ｆ１／ｆ｜  ≦  １．５      ・・・（２）
０．５  ≦  ｜ｆ２／ｆ｜  ≦  １．２      ・・・（３）
０．５  ≦  ｜ｆ４／ｆ｜  ≦  １．０  ・・・（４）
ここで、
ｆ１：第１レンズ群の焦点距離
ｆ２：第２レンズ群の焦点距離
ｆ４：第４レンズ群の焦点距離
ｆ  ：無限遠における全系の焦点距離
である。
【００７２】
前記条件（２）は、第１レンズ群の焦点距離と全系の焦点距離との比を規定するための条件である。条件式（２）の下限を下回ると、第１レンズ群の屈折力が強くなりすぎ、球面収差、軸上色収差を良好に補正することが困難となる。また、条件式（２）の上限を上回ると、第１レンズ群の厚みが増えることにより、光学全長も大きくなることからコンパクトなレンズ鏡筒や撮像装置を提供することが困難となる。
【００７３】
なお、さらに以下の条件（２）’及び（２）’ ’の少なくとも１つを満足することにより、前記効果をさらに奏功させることができる。
【００７４】
０．８  ≦  ｜ｆ１／ｆ｜  ・・・（２）’
｜ｆ１／ｆ｜  ≦  １．３  ・・・（２）’ ’
前記条件（３）は、第２レンズ群の焦点距離と全系の焦点距離との比を規定するための条件である。条件式（３）の下限を下回ると、第２レンズ群の屈折力が強くなりすぎることからフォーカシング時の像面変動が大きくなり、無限遠から最近接に渡っての収差補正が困難となる。また、条件式（３）の上限を上回ると、フォーカシング時の移動量が大きくなり、高速なＡＦ動作が困難となる。さらに、無限遠から最近接時への第２レンズ群の移動量が大きくなることから光学全長が大きくなり、コンパクトなレンズ鏡筒や撮像装置を提供することが困難となる。
【００７５】
なお、さらに以下の条件（３）’及び（３）’ ’の少なくとも１つを満足することにより、前記効果をさらに奏功させることができる。
【００７６】
０．７  ≦  ｜ｆ２／ｆ｜  ・・・（３）’
｜ｆ２／ｆ｜  ≦  １．０  ・・・（３）’ ’
前記条件（４）は、第４レンズ群の焦点距離と全系の焦点距離との比を規定するための条件である。条件式（４）の下限を下回ると、第４レンズ群の屈折力が強くなりすぎることからフォーカシング時の像面変動が大きくなり、無限遠から最近接に渡っての収差補正が困難となる。また、条件式（４）の上限を上回ると、フォーカシング時の移動量が大きくなり、高速なＡＦ動作が困難となる。さらに、無限遠から最近接時への第４レンズ群の移動量が大きくなることから光学全長が大きくなり、コンパクトなレンズ鏡筒や撮像装置を提供することが困難となる。
【００７７】
なお、さらに以下の条件（４）’及び（４）’ ’の少なくとも１つを満足することにより、前記効果をさらに奏功させることができる。
【００７８】
０．６  ≦  ｜ｆ４／ｆ｜  ・・・（４）’
｜ｆ４／ｆ｜  ≦  ０．８  ・・・（４）’ ’
例えば実施の形態５〜７に係るレンズ系のように、これらレンズ系は、以下の条件（５）、（６）、（７）を満足することが好ましい。
【００７９】
０．２  ≦  ｜ｆ１’／ｆ’｜  ≦  ０．８  ・・・（５）
０．２  ≦  ｜ｆ２’／ｆ’｜  ≦  ０．８  ・・・（６）
１．５  ≦  ｜ｆ３’／ｆ’｜  ≦  ３．０  ・・・（７）
ここで、
ｆ１’：第１レンズ群の焦点距離
ｆ２’：第２レンズ群の焦点距離
ｆ３’：第３レンズ群の焦点距離
ｆ’  ：無限遠における全系の焦点距離
である。
【００８０】
前記条件（５）は、第１レンズ群の焦点距離と全系の焦点距離との比を規定するための条件である。条件式（５）の下限を下回ると、第１レンズ群の屈折力が強くなりすぎ、球面収差、軸上色収差を良好に補正することが困難となる。また、条件式（５）の上限を上回ると、第１レンズ群の厚みが増えることにより、光学全長も大きくなることからコンパクトなレンズ鏡筒や撮像装置を提供することが困難となる。
【００８１】
なお、さらに以下の条件（５）’及び（５）’ ’の少なくとも１つを満足することにより、前記効果をさらに奏功させることができる。
【００８２】
０．３  ≦  ｜ｆ１’／ｆ’｜  ・・・（５）’
｜ｆ１’／ｆ’｜  ≦  ０．５  ・・・（５）’ ’
前記条件（６）は、第２レンズ群の焦点距離と全系の焦点距離との比を規定するための条件である。条件式（６）の下限を下回ると、第２レンズ群の屈折力が強くなりすぎることからフォーカシング時の像面変動が大きくなり、無限遠から最近接に渡っての収差補正が困難となる。また、条件式（６）の上限を上回ると、フォーカシング時の移動量が大きくなり、高速なＡＦ動作が困難となる。さらに、無限遠から最近接時への第２レンズ群の移動量が大きくなることから光学全長が大きくなり、コンパクトなレンズ鏡筒や撮像装置を提供することが困難となる。
【００８３】
なお、さらに以下の条件（６）’及び（６）’ ’の少なくとも１つを満足することにより、前記効果をさらに奏功させることができる。
【００８４】
０．３  ≦  ｜ｆ２’／ｆ’｜  ・・・（６）’
｜ｆ２’／ｆ’｜  ≦  ０．７  ・・・（６）’ ’
前記条件（７）は、第３レンズ群の焦点距離と全系の焦点距離との比を規定するための条件である。条件式（７）の下限を下回ると、第４レンズ群の屈折力が強くなりすぎることからフォーカシング時の像面変動が大きくなり、無限遠から最近接に渡っての収差補正が困難となる。さらに、第４レンズ群のレンズ有効径も大きくなり、鏡筒の外径方向が大きくなってしまう。また、条件式（７）の上限を上回ると、フォーカシング時の移動量が大きくなり、高速なＡＦ動作が困難となる。さらに、無限遠から最近接時への第４レンズ群の移動量が大きくなることから光学全長が大きくなり、コンパクトなレンズ鏡筒や撮像装置を提供することが困難となる。
【００８５】
なお、さらに以下の条件（７）’及び（７）’ ’の少なくとも１つを満足することにより、前記効果をさらに奏功させることができる。
【００８６】
１．６  ≦  ｜ｆ３’／ｆ’｜  ・・・（７）’
｜ｆ３’／ｆ’｜  ≦  ２．５  ・・・（７）’ ’
例えば実施の形態１〜７に係るレンズ系のように、これらレンズ系は、以下の条件（８）を満足することが好ましい。
【００８７】
１．０  ≦  ｜（１―βｉ＾２）・βｉ＋１＾２｜  ≦  ６．０     ・・・（８）
ここで、
βｉ：物体距離無限遠における第ｉ番目の移動レンズ群の横倍率
βｉ＋１：物体距離無限遠における第ｉ番目の移動レンズ群の後方に位置する全てのレンズ群の横倍率
である。
【００８８】
前記条件（８）は、絞りより後ろのフォーカスレンズ群のピント敏感度を規定するための条件である。条件式（８）の下限を下回ると、フォーカスレンズ群の移動量が大きくなりすぎ、鏡筒の小型化が困難となる。さらに、合焦までに多くの時間を費やしてしまう。条件式（８）の上限を上回ると、フォーカスレンズ群の屈折力が強くなりすぎ、無限遠から最至近へのフォーカシング時に像面変動が大きくなり、良好な収差補正が困難となる。
【００８９】
なお、さらに以下の条件（８）’及び（８）’ ’の少なくとも１つを満足することにより、前記効果をさらに奏功させることができる。
【００９０】
１．７  ≦  ｜（１―βｉ＾２）・βｉ＋１＾２｜  ・・・（８）’
｜（１―βｉ＾２）・βｉ＋１＾２｜  ≦  ５．０  ・・・（８）’ ’
例えば実施の形態１〜４に係るレンズ系のように、これらレンズ系は、以下の条件（９）を満足することが好ましい。
【００９１】
３０．０  ≦  νｄ２  ≦  ５０．０・・・（９）
ここで、
νｄ２：第２レンズ群内の負の屈折力を有するレンズ素子のアッベ数
である。
【００９２】
前記条件（９）は、第２レンズ群を構成する単レンズのアッベ数を規定するための条件である。条件式（９）を満足しない場合、無限遠から最近接までの収差補正を良好に行うことが困難となる。
【００９３】
なお、さらに以下の条件（９）’及び（９）’ ’の少なくとも１つを満足することにより、前記効果をさらに奏功させることができる。
３５．０  ≦  νｄ２  ・・・（９）’
νｄ２  ≦  ４５．０  ・・・（９）’ ’
例えば実施の形態１〜４に係るレンズ系のように、これらレンズ系は、以下の条件（１０）を満足することが好ましい。
【００９４】
１７．０  ≦  νｄ５  ≦  ４０．０・・・（１０）
ここで、
νｄ５：第５レンズ群内の負の屈折力を有するレンズ素子のアッベ数
である。
【００９５】
前記条件（１０）は、第５レンズ群を構成する単レンズのアッベ数を規定するための条件である。条件式（１０）を満足しない場合、無限遠から最近接までの収差補正を良好に行うことが困難となる。
【００９６】
なお、さらに以下の条件（１０）’及び（１０）’ ’の少なくとも１つを満足することにより、前記効果をさらに奏功させることができる。
２５．０  ≦  νｄ５  ・・・（１０）’
νｄ５  ≦  ３５．０  ・・・（１０）’ ’
例えば実施の形態５〜７に係るレンズ系のように、これらレンズ系は、以下の条件（１１）を満足することが好ましい。
【００９７】
３．０  ≦  ｜ｆｆ１／ｆｒ１｜  ≦  ６．０       ・・・（１１）
ここで、
ｆｆ１：第１レンズ群の絞りより物体側のレンズ群の焦点距離
ｆｒ１：第１レンズ群の絞りより像面側のレンズ群の焦点距離
である。
【００９８】
前記条件（１１）は、第１レンズ群内において、絞りより物体側の焦点距離と絞りより像側の焦点距離との比を規定するための条件である。条件式（１１）の下限を下回ると球面収差、像面湾曲を良好に補正することが困難となる。また、条件式（１１）の上限を上回ると絞り径が大きくなり、鏡筒径が大きくなってしまい、コンパクトなレンズ鏡筒や撮像装置を提供することが困難となる。
【００９９】
なお、さらに以下の条件（１１）’及び（１１）’ ’の少なくとも１つを満足することにより、前記効果をさらに奏功させることができる。
３．５  ≦  ｜ｆｆ１／ｆｒ１｜  ・・・（１１）’
｜ｆｆ１／ｆｒ１｜  ≦  ５．５  ・・・（１１）’ ’
例えば実施の形態５〜７に係るレンズ系のように、これらレンズ系は、以下の条件（１２）を満足することが好ましい。
【０１００】
０．５  ≦  （ｒ１＋ｒ２）／（ｒ１−ｒ２）  ≦  １．８・・・（１２）
ここで、
ｒ１：第３レンズ群内の単レンズ素子の物体側曲率半径
ｒ２：第３レンズ群内の単レンズ素子の像面側曲率半径
である。
【０１０１】
前記条件（１２）は、第３レンズ群内の単レンズの形状を規定するための条件である。
条件式（１２）の下限を下回ると、第３レンズ群内の単レンズの像側面の屈折力が小さくなり、周辺性能の収差補正が困難になる。また条件式（１２）の上限を上回ると第３レンズ群内の単レンズの像側面の屈折力が大きくなり、最終レンズ群への軸外光線の跳ね上げが大きくなることから最終レンズの外径が大きくなってしまい、鏡筒が大型化してしまう。
【０１０２】
なお、さらに以下の条件（１２）’及び（１２）’ ’の少なくとも１つを満足することにより、前記効果をさらに奏功させることができる。
０．７  ≦  （ｒ１＋ｒ２）／（ｒ１−ｒ２）  ・・・（１２）’
（ｒ１＋ｒ２）／（ｒ１−ｒ２）  ≦  １．６  ・・・（１２）’ ’
例えば実施の形態５〜７に係るレンズ系のように、これらレンズ系は、以下の条件（１３）を満足することが好ましい。
【０１０３】
５０．０  ≦  νｄ２‘  ≦  ８５．０・・・（１３）
ここで、
νｄ２‘：第２レンズ群の負の屈折力を有するレンズ素子のアッベ数
である。
【０１０４】
前記条件ｆ（１３）は、第２レンズ群を構成する単レンズのアッベ数を規定するための条件である。条件式（１３）を満足しない場合、無限遠から最近接までの収差補正を良好に行うことが困難となる。
【０１０５】
なお、さらに以下の条件（１３）’及び（１３）’ ’の少なくとも１つを満足することにより、前記効果をさらに奏功させることができる。
６５．０  ≦  νｄ２‘  ・・・（１３）’
νｄ２‘  ≦  ８３．０  ・・・（１３）’ ’
例えば実施の形態５〜７に係るレンズ系のように、これらレンズ系は、以下の条件（１４）を満足することが好ましい。
【０１０６】
２０．０  ≦  νｄ３‘  ≦  ３５．０・・・（１４）
ここで、
νｄ３‘：第３レンズ群の負の屈折力を有するレンズ素子のアッベ数
である。
【０１０７】
前記条件（１４）は、第３レンズ群を構成する単レンズのアッベ数を規定するための条件である。条件式（１４）を満足しない場合、無限遠から最近接までの収差補正を良好に行うことが困難となる。さらに、第３レンズ群が条件式（１４）を満足する樹脂材料で構成されることも示している。
【０１０８】
なお、さらに以下の条件（１４）’及び（１４）’ ’の少なくとも１つを満足することにより、前記効果をさらに奏功させることができる。
２１．０  ≦  νｄ３‘  ・・・（１４）’
νｄ３‘  ≦  ３０．０  ・・・（１４）’ ’
実施の形態１〜７に係るレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で各レンズ群を構成してもよい。特に、屈折・回折ハイブリッド型レンズ素子において、屈折率の異なる媒質の界面に回折構造を形成すると、回折効率の波長依存性が改善されるので、好ましい。
（実施の形態８）
図２２は、実施の形態８にかかるレンズ交換式デジタルカメラシステムの概略構成図である。
【０１０９】
本実施の形態８に係るレンズ交換式デジタルカメラシステム１００は、カメラ本体１０１と、カメラ本体１０１に着脱自在に接続される交換レンズ装置２０１を備える。
【０１１０】
カメラ本体１０１は、交換レンズ装置２０１のレンズ系２０２によって形成される光学像を受光して、電気的な画像信号に変換する撮像素子１０２と、撮像素子１０２によって変換された画像信号を表示する表示モニタ１０３と、カメラマウント部１０４とを含む。一方、交換レンズ装置２０１は、実施の形態１〜７いずれかに係るレンズ系２０２と、レンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２２においては、レンズ系２０２として実施の形態１にかかるレンズ系を用いた場合を図示している。
【０１１１】
本実施の形態８では、実施の形態１〜７いずれかに係るレンズ系２０２を用いているので、コンパクトで結像性能に優れた交換レンズ装置を低コストで実現することができる。また、本実施の形態８に係るカメラシステム１００全体の小型化及び低コスト化も達成することができる。なお、これら実施の形態１〜７に係るレンズ系は、全ての可動域を使用する必要はない。すなわち、所望のフォーカス域に応じて、光学性能が確保されている範囲を切り出し、以下の対応する数値実施例１〜７で説明するレンズ系よりも低倍率のレンズ系として使用してもよい。
【０１１２】
以下、実施の形態１〜７に係るレンズ系を具体的に実施した数値実施例を説明する。なお、各数値実施例において、表中の長さの単位は全て「ｍｍ」であり、画角の単位は全て「°」である。また、各数値実施例において、ｒは曲率半径、ｄは面間隔、ｎｄはｄ線に対する屈折率、νｄはｄ線に対するアッベ数である。また、各数値実施例において、＊印を付した面は非球面であり、非球面形状は次式で定義している。
【０１１３】
【数１】
2015043016.tif 000003
【０１１４】
ここで、
Z：光軸からの高さがｈの非球面上の点から、非球面頂点の接平面までの距離、
ｈ：光軸からの高さ、
ｒ：頂点曲率半径
κ：円錐定数
An：ｎ次の非球面係数
である。
【０１１５】
図２、５、８、１１、１４、１７及び２０は、各々実施例１〜７に係るレンズ系の無限遠合焦状態、撮影倍率０．５倍合焦状態、撮影倍率１．０倍合焦状態の縦収差図である。
【０１１６】
各縦収差図において、（a）図は無限遠合焦状態（ｂ）撮影倍率０．５倍合焦状態（ｃ）撮影倍率１．０倍合焦状態における各収差を表す。各縦収差図は、左側から順に、球面収差（SA（ｍｍ））、非点収差（AST（ｍｍ））、歪曲収差（DIS（％））を示す。球面収差図において、縦軸はFナンバー（図中、Fで示す）を表し、実線はｄ線（d-line）、短破線はF線（F-line）、長破線はC線（C-line）の特性である。非点収差図において、縦軸は像高（図中、Hで示す）を表し、実線はサジタル平面（図中、ｓで示す）、破線はメリディオナル平面（図中、ｍで示す）の特性である。歪曲収差図において、縦軸は像高（図中、Hで示す）を表す。
【０１１７】
図３、６、９、１２、１５、１８及び２１は、各々実施の形態１〜７に係るレンズ系の無限遠における横収差図である。
【０１１８】
各横収差図において、上段３つの収差図は、無限遠における像ぶれ補正を行っていない基本状態、下段３つの収差図は、像ぶれ補正レンズ群（実施例１〜４：第３レンズ群G3のレンズ素子、実施例５〜７：第１レンズ群G1内のレンズ素子）を高軸と垂直な方向に所定量移動させた無限遠における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また、各横収差図において、横軸は瞳面上での主光線からの距離を表し、実線はｄ線（d-line）、短破線はF線（F-line）、長破線はC線（C-line）の特性である。なお、各横収差図において、メリディオナル平面を、第１レンズ群G1の光軸と最終レンズ群の光軸とを含む平面としている。
【０１１９】
なお、各実施例のレンズ系について、無限遠における、像ぶれ補正状態での像ぶれ補正レンズ群の光軸と垂直な方向への移動量は以下に示すとおりである。
実施例１      ０．２８９ｍｍ
実施例２      ０．３０８ｍｍ
実施例３      ０．３５１ｍｍ
実施例４      ０．３４１ｍｍ
実施例５      ０．１３７ｍｍ
実施例６      ０．４００ｍｍ
実施例７      ０．１２８ｍｍ
撮影距離が無限遠において、レンズ系が所定の角度だけ傾いた場合の像偏心量は、像ぶれ補正レンズ群が光軸と垂直な方向に上記の各値だけ並行移動するときの像偏心量に等しい。
【０１２０】
各横収差図から明らかなように、軸上像点における横収差の対象性は良好であることがわかる。また、＋７０％像点における横収差と−７０％における横収差とを基本状態で比較すると、いずれも湾曲量が小さく、収差曲線の傾斜がほぼ等しいことから、偏心コマ収差、偏心非点収差が小さいことがわかる。このことは像ぶれ補正状態であっても充分な結像性能が得られていることを意味している。
（数値実施例１）
数値実施例１のレンズ系は、図１に示した実施の形態１に対応する。数値実施例１のレンズ系の面データを表１に、非球面データを表２に、無限遠合焦状態、近接状態での各種データを表３に示す。
【０１２１】
表１（面データ）
面番号         r           d           nd         vd                
物面             ∞        可変                                   
1        500.00000     0.70000     1.51680    64.2               
2         13.14060     3.88790                                   
3*        25.72070     2.49940     1.80998    40.9               
4        108.37200     0.20000                                   
5         24.45160     3.03430     1.77250    49.6               
6       -101.28040        可変                                   
7         95.05160     0.80000     1.80998    40.9               
8*        15.51650        可変                                   
9        247.31650     1.55600     1.72916    54.7               
10        -55.74210     2.50000                                   
11(絞り)           ∞        可変                                   
12         64.89570     3.89040     1.72916    54.7               
13        -16.22170     0.70000     1.84666    23.8               
14        -49.30820     0.15000                                   
15         27.83870     2.81110     1.72916    54.7               
16       -301.57480        可変                                   
17         25.01080     0.80000     1.76182    26.6               
18         12.01980        可変                                   
19        -21.17390     0.70000     1.51680    64.2               
20         24.01490     4.00240     1.84666    23.8               
21        -59.07820      BF                                       
像面             ∞                                               
表２（非球面データ）
第3面
K= 0.00000E+00, A4=-6.46824E-06, A6= 4.87668E-08, A8= 4.38996E-10 
A10= 9.32932E-13 
第8面
K=-8.01447E-01, A4=-3.39916E-06, A6= 2.87997E-08, A8= 4.21661E-10 
A10=-1.28636E-11 
表３（各種データ）
無限遠     X0.50     X1.00
焦点距離      30.9985   27.9365   25.2402
Ｆナンバー     2.88418   4.32325   5.69108
画角        19.1463   15.4351   10.8746
像高        10.8150   10.8150   10.8150
レンズ全長     75.0748
ＢＦ       14.36929
d0               ∞   59.8276   35.0002 
d6           1.5000    3.8392    6.1705 
d8           7.5138    5.1745    2.8432 
d11         14.7748    8.1957    1.6500 
d16          1.4996    5.2646    8.7454 
d18          7.1858    9.9998   13.0648 
入射瞳位置     17.2111   19.2330   21.1143
射出瞳位置    -41.7720  -33.2628  -31.5046
前側主点位置   31.0937   23.9871   15.4812
後側主点位置   44.0763   33.1714   24.5955
（数値実施例２）
数値実施例２のレンズ系は、図４に示した実施の形態２に対応する。数値実施例２のレンズ系の面データを表４に、非球面データを表５に、無限遠合焦状態、近接状態での各種データを表６に示す。
【０１２２】
表４（面データ）
面番号         r           d           nd         vd                
物面             ∞        可変                                   
1        500.00000     0.70000     1.51823    59.0               
2         13.55450     4.78620                                   
3*        31.19870     2.34920     1.80998    40.9               
4*       217.12280     0.20000                                   
5         24.09560     3.00970     1.80420    46.5               
6       -125.17640        可変                                   
7         42.80140     0.80000     1.80998    40.9               
8*        13.52930        可変                                   
9        273.68470     1.52440     1.72916    54.7               
10        -58.00450     2.50000                                   
11(絞り)           ∞        可変                                   
12         83.76980     3.52120     1.72916    54.7               
13        -14.28980     0.70000     1.84666    23.8               
14        -46.37850     0.15000                                   
15         32.80840     2.61900     1.72916    54.7               
16        -85.43380        可変                                   
17         27.85140     0.80000     1.75520    27.5               
18         12.04040        可変                                   
19        -18.71620     0.70000     1.48749    70.4               
20         25.24230     3.97950     1.84666    23.8               
21        -47.26730      BF                                       
像面             ∞                                               
表５（非球面データ）
第3面
K= 0.00000E+00, A4=-4.30047E-05, A6= 6.98038E-07, A8=-7.35643E-09 
A10= 4.23764E-11 
第4面
K= 0.00000E+00, A4=-2.88608E-05, A6= 6.92750E-07, A8=-8.54692E-09 
A10= 4.67005E-11 
第8面
K=-6.84583E-01, A4=-4.81560E-06, A6=-1.67054E-07, A8= 3.58230E-09 
A10=-2.51677E-11 
表６（各種データ）   
無限遠     X0.50     X1.00
焦点距離      30.9999   26.4891   23.2800
Ｆナンバー     2.88430   4.32342   5.74737
画角        19.0540   16.1096   11.8266
像高        10.8150   10.8150   10.8150
レンズ全長     72.0689
ＢＦ       14.36915
d0               ∞   56.4628   30.7922 
d6           1.5000    3.4374    5.7626 
d8           7.0933    5.1544    2.8433 
d11         12.3871    7.0881    1.6500 
d16          1.5000    5.9888   10.1079 
d18          6.8802    7.6905    9.0110 
入射瞳位置     17.2026   18.7004   20.3801
射出瞳位置    -37.7841  -30.5037  -28.3412
前側主点位置   29.7761   23.0047   15.7678
後側主点位置   41.0691   32.3341   25.5232
（数値実施例３）
数値実施例３のレンズ系は、図７に示した実施の形態３に対応する。数値実施例３のレンズ系の面データを表７に、非球面データを表８に、無限遠合焦状態、近接状態での各種データを表９に示す。
【０１２３】
表７（面データ）
面番号         r           d           nd         vd                
物面             ∞        可変                                   
1        500.00000     0.70000     1.53172    48.8               
2         13.73000     3.79250                                   
3*        17.54140     3.72390     1.80998    40.9               
4*       -83.36270        可変                                   
5         34.77260     0.80000     1.80998    40.9               
6*        14.24670        可変                                   
7        273.68470     1.48150     1.72916    54.7               
8        -69.20150     2.50000                                   
9(絞り)           ∞        可変                                   
10         54.65240     4.02610     1.72916    54.7               
11        -16.64600     0.70000     1.84666    23.8               
12        -55.25910     0.15000                                   
13         27.24840     2.90610     1.72916    54.7               
14       -256.57850        可変                                   
15         26.78220     0.80000     1.69895    30.0               
16         11.69830        可変                                   
17        -19.40940     0.70000     1.51742    52.1               
18         28.96890     3.91740     1.84666    23.8               
19        -44.67840      BF                                       
像面             ∞                                               
表８（非球面データ）
第3面
K= 0.00000E+00, A4=-3.54649E-05, A6= 2.86004E-07, A8=-5.69812E-09 
A10= 3.84822E-11 
第4面
K= 0.00000E+00, A4=-8.16947E-06, A6= 1.59480E-07, A8=-4.29661E-09 
A10= 3.27455E-11 
第6面
K=-7.65492E+00, A4= 2.86624E-04, A6=-3.76804E-06, A8= 4.47374E-08 
A10=-2.76451E-10 
表９（各種データ）
無限遠     X0.50     X1.00
焦点距離      30.9995   28.2039   25.5010
Ｆナンバー     2.88450   4.32359   5.74726
画角        19.0937   15.4757   11.0366
像高        10.8150   10.8150   10.8150
レンズ全長     74.4326
ＢＦ       14.36953
d0               ∞   60.2033   35.0007 
d4           1.5000    4.3886    7.0072 
d6           8.3505    5.4618    2.8432 
d9          15.0568    8.1839    1.6500 
d14          1.4998    5.1976    8.9221 
d16          7.4585   10.6336   13.4430 
入射瞳位置     16.7966   18.6643   20.1222
射出瞳位置    -44.6453  -35.1562  -33.0843
前側主点位置   31.5126   24.4134   16.0021
後側主点位置   43.4331   32.1278   23.4317
（数値実施例４）
数値実施例４のレンズ系は、図１０に示した実施の形態４に対応する。数値実施例４のレンズ系の面データを表１０に、非球面データを表１１に、無限遠合焦状態、近接状態での各種データを表１２に示す。
【０１２４】
表１０（面データ）
面番号         r           d           nd         vd                
物面             ∞        可変                                   
1        500.00000     0.70000     1.51680    64.2               
2         12.25780     4.59930                                   
3*        29.84840     2.78300     1.80998    40.9               
4*      -146.08090     0.20000                                   
5         22.10580     2.73520     1.72916    54.7               
6        392.46910        可変                                   
7*        25.43760     0.80000     1.80998    40.9               
8*        11.32810        可変                                   
9        273.68470     1.48080     1.72916    54.7               
10        -64.82380     2.50000                                   
11(絞り)           ∞        可変                                   
12         78.05460     3.63700     1.72916    54.7               
13        -13.87700     0.70000     1.84666    23.8               
14        -45.51000     0.15000                                   
15         34.77940     2.58200     1.72916    54.7               
16        -85.76480        可変                                   
17         35.46260     0.80000     1.72825    28.3               
18         12.97290     7.40520                                   
19        -18.27140     0.70000     1.48749    70.4               
20         29.76470     4.17730     1.84666    23.8               
21        -35.97020      BF                                       
像面             ∞                                               
表１１（非球面データ）
第3面
K= 0.00000E+00, A4=-4.36719E-05, A6=-1.88507E-08, A8= 1.84467E-09 
A10=-7.06765E-11 
第4面
K= 0.00000E+00, A4=-3.74345E-05, A6=-7.72737E-09, A8=-7.14723E-10 
A10=-5.28452E-11 
第7面
K= 0.00000E+00, A4=-6.96225E-05, A6= 3.56444E-06, A8=-6.48948E-08 
A10= 5.23714E-10 
第8面
K=-1.18135E+00, A4=-3.73451E-05, A6= 4.10843E-06, A8=-7.85353E-08 
A10= 7.58271E-10 
表１２（各種データ）
無限遠     X0.50     X1.00
焦点距離      31.0002   26.7626   23.5183
Ｆナンバー     2.88426   4.32300   5.74735
画角        19.1802   16.3501   12.0184
像高        10.8150   10.8150   10.8150
レンズ全長     72.0690
ＢＦ       14.36922
d0               ∞   55.8312   30.0000 
d6           1.5000    3.3034    5.8301 
d8           7.1642    5.3585    2.8433 
d11         11.5858    6.5994    1.6500 
d16          1.5000    6.4867   11.4367 
入射瞳位置     17.2420   18.5809   20.3101
射出瞳位置    -42.1963  -33.3021  -29.7938
前側主点位置   31.2529   24.4559   17.0364
後側主点位置   41.0689   31.9232   25.0424
（数値実施例５）
数値実施例５のレンズ系は、図１３に示した実施の形態５に対応する。数値実施例５のレンズ系の面データを表１３に、非球面データを表１４に、無限遠合焦状態、近接状態での各種データを表１５に示す。
【０１２５】
表１３（面データ）
面番号         r           d           nd         vd                
物面             ∞        可変                                   
1        500.00000     0.80000     1.48749    70.4               
2         10.87190     7.51730                                   
3*        68.60520     2.44260     1.80998    40.9               
4*       -28.98090    11.89220                                   
5(絞り)           ∞     2.14760                                   
6         52.84240     0.70000     1.84666    23.8               
7         15.68330     3.94180     1.49700    81.6               
8        -21.14740     1.00000                                   
9         26.25490     2.04930     1.77250    49.6               
10       -230.28680        可変                                   
11*       -59.39600     0.70000     1.52500    70.3               
12*        11.28820        可変                                   
13*       165.33270     1.50000     1.63450    23.9               
14*        28.81740        可変                                   
15         32.49310     5.31330     1.72342    38.0               
16        -36.83510      BF                                       
像面             ∞                                               
表１４（非球面データ）
第3面
K=-1.50415E+01, A4=-1.40188E-05, A6= 8.00398E-07, A8=-1.87237E-08 
A10= 1.52459E-10 
第4面
K= 0.00000E+00, A4=-2.72678E-05, A6= 5.94869E-07, A8=-1.69506E-08 
A10= 1.31094E-10 
第11面
K= 0.00000E+00, A4= 1.83238E-04, A6=-1.02516E-05, A8= 2.56434E-07 
A10=-2.56490E-09 
第12面
K= 1.40333E+00, A4= 4.48065E-05, A6=-1.30666E-05, A8= 2.76063E-07 
A10=-4.06983E-09 
第13面
K= 0.00000E+00, A4= 1.65891E-04, A6=-1.59002E-06, A8= 1.27050E-08 
A10=-4.98868E-11 
第14面
K= 4.44492E+00, A4= 1.25721E-04, A6=-1.70793E-06, A8= 1.24944E-08 
A10=-5.31709E-11 
表１５（各種データ）
無限遠     X0.50     X1.00
焦点距離      30.9988   27.8038   23.1118
Ｆナンバー     2.88392   4.32314   5.74636
画角        19.1785   17.7625   16.4710
像高        10.8150   10.8150   10.8150
レンズ全長     77.0591
ＢＦ       20.43566
d0               ∞   52.4855   21.3899 
d10          1.7633    5.6133   10.0128 
d12         12.5657    7.8215    3.0179 
d14          2.2903    3.1844    3.5885 
入射瞳位置     13.9138   13.9138   13.9138
射出瞳位置    -80.8467  -65.1201  -46.4891
前側主点位置   35.4250   30.9290   24.8339
後側主点位置   46.0602   35.3541   30.8355
（数値実施例６）
数値実施例６のレンズ系は、図１６に示した実施の形態６に対応する。数値実施例６のレンズ系の面データを表１６に、非球面データを表１７に、無限遠合焦状態、近接状態での各種データを表１８に示す。
【０１２６】
表１６（面データ）
面番号         r           d           nd         vd                
物面             ∞        可変                                   
1        500.00000     0.80000     1.48749    70.4               
2         10.86360     8.02370                                   
3*        33.88710     3.10820     1.80998    40.9               
4*       -30.38680     4.88030                                   
5       4221.11070     0.80000     1.77250    49.6               
6         71.75820     2.70010                                   
7(絞り)           ∞     2.00000                                   
8         43.70220     0.70000     1.84666    23.8               
9         14.40560     2.86560     1.49700    81.6               
10        -20.26010     0.20000                                   
11         25.75220     1.84180     1.59282    68.6               
12        -62.70640        可変                                   
13*       -63.98450     0.70000     1.52500    70.3               
14*         9.91590        可変                                   
15*     -1024.77080     1.50000     1.63450    23.9               
16*        45.87790        可変                                   
17         41.77320     4.73130     1.80450    39.6               
18        -35.54480      BF                                       
像面             ∞                                               
表１７（非球面データ）
第3面
K= 1.43470E-01, A4= 1.54512E-05, A6= 1.07334E-06, A8=-1.81088E-08 
A10= 4.60262E-10 
第4面
K= 0.00000E+00, A4= 2.20326E-05, A6= 1.08769E-06, A8=-2.40662E-08 
A10= 5.76815E-10 
第13面
K= 0.00000E+00, A4=-1.26594E-04, A6= 3.25207E-06, A8=-3.84380E-08 
A10= 0.00000E+00 
第14面
K= 1.42678E+00, A4=-3.74907E-04, A6=-2.51238E-06, A8= 2.69380E-08 
A10=-4.86509E-09 
第15面
K= 0.00000E+00, A4= 1.74628E-04, A6=-1.25048E-06, A8= 4.77431E-09 
A10= 0.00000E+00 
第16面
K= 1.33956E+01, A4= 1.44485E-04, A6=-1.32608E-06, A8= 5.24432E-09 
A10=-1.01332E-11 
表１８（各種データ）
無限遠     X0.50     X1.00
焦点距離      30.5119   28.2370   24.2115
Ｆナンバー     3.60018   3.99275   5.74694
画角        19.4473   17.7748   16.3471
像高        10.8150   10.8150   10.8150
レンズ全長     73.0600
ＢＦ       21.19588
d0               ∞   53.8851   23.2827 
d12          1.5000    5.1219    9.2564 
d14         13.7131    8.1184    2.4631 
d16          1.8000    3.7727    5.2935 
入射瞳位置     12.3529   12.3529   12.3529
射出瞳位置    -87.3043  -74.5947  -54.3231
前側主点位置   34.2843   30.8273   25.1392
後側主点位置   42.5481   30.7044   24.6367
（数値実施例７）
数値実施例７のレンズ系は、図１９に示した実施の形態７に対応する。数値実施例７のレンズ系の面データを表１９に、非球面データを表２０に、無限遠合焦状態、近接状態での各種データを表２１に示す。
【０１２７】
表１９（面データ）
面番号         r           d           nd         vd                
物面             ∞        可変                                   
1        500.00000     0.80000     1.48749    70.4               
2         11.50360     8.68010                                   
3*        72.26000     2.76870     1.80610    40.7               
4*       -30.47320    12.43710                                   
5(絞り)           ∞     2.14260                                   
6         52.00650     0.70000     1.84666    23.8               
7         15.58800     3.82890     1.49700    81.6               
8        -23.18070     1.00000                                   
9         24.91090     2.09950     1.77250    49.6               
10       -218.06030        可変                                   
11*      -113.91710     0.70000     1.52500    70.3               
12*        10.29290        可変                                   
13*       253.67820     1.50000     1.63450    23.9               
14*        30.64950        可変                                   
15         32.98100     5.30240     1.72342    38.0               
16        -36.45920      BF                                       
像面             ∞                                               
表２０（非球面データ）
第3面
K=-7.65169E+00, A4=-1.07405E-05, A6= 6.71179E-07, A8=-1.46456E-08 
A10= 1.39480E-10 
第4面
K= 0.00000E+00, A4=-1.73141E-05, A6= 4.97777E-07, A8=-1.31919E-08 
A10= 1.25733E-10 
第11面
K= 0.00000E+00, A4=-6.64614E-05, A6=-2.36801E-07, A8= 4.43003E-08 
A10=-7.07582E-10 
第12面
K=-5.57155E-01, A4=-5.38212E-05, A6= 1.50617E-07, A8= 1.85548E-08 
A10=-4.75797E-10 
第13面
K= 0.00000E+00, A4= 2.18687E-04, A6=-2.41668E-06, A8= 1.98388E-08 
A10=-7.66215E-11 
第14面
K= 5.10164E+00, A4= 1.77283E-04, A6=-2.44821E-06, A8= 1.84628E-08 
A10=-7.35035E-11 
表２１（各種データ）
無限遠     X0.50     X1.00
焦点距離      30.6937   27.6280   23.1267
Ｆナンバー     2.88424   4.32265   5.74578
画角        19.3862   17.9672   16.6962
像高        10.8150   10.8150   10.8150
レンズ全長     79.0589
ＢＦ       20.33090
d0               ∞   50.8382   20.0302 
d10          1.7129    5.4863    9.8102 
d12         12.6980    7.9328    3.0665 
d14          2.3578    3.3496    3.8919 
入射瞳位置     14.7664   14.7664   14.7664
射出瞳位置    -82.3245  -67.2638  -48.6280
前側主点位置   36.2827   32.0488   26.2235
後側主点位置   48.3652   37.6176   32.8057
以下の表２２に、各数値実施例のレンズ系における各条件の対応値を示す。
表２２（条件の対応値）
2015043016.tif 000004
【産業上の利用可能性】
【０１２８】
本開示に係るレンズ系は、デジタルスチルカメラ、デジタルビデオカメラ、携帯電話機器のカメラ、PDA（Personal Digital Assistance）のカメラ、監視システムにおける監視カメラ、Webカメラ、車載カメラ等に適用可能であり、特にデジタルスチルカメラシステム、デジタルビデオカメラシステムといった高画質が要求される撮影光学系に好適である。
【０１２９】
また本開示に係るレンズ系は、本開示に係る交換レンズ装置の中でも、デジタルビデオカメラシステムに備えられる、レンズ系をモータにより駆動する電動ズーム機能を搭載した交換レンズ装置に適用することが可能である。
【符号の説明】
【０１３０】
G１    第１レンズ群
G２    第２レンズ群
G３    第３レンズ群
G４    第４レンズ群
G５    第５レンズ群
G６    第６レンズ群
L１  第１レンズ素子
L２  第２レンズ素子
L３  第３レンズ素子
L４  第４レンズ素子
L５  第５レンズ素子
L６  第６レンズ素子
L７  第７レンズ素子
L８  第８レンズ素子
L９  第９レンズ素子
L１０  第１０レンズ素子
L１１  第１１レンズ素子
A      開口絞り
S      像面
１００ レンズ交換式デジタルカメラシステム
１０１ カメラ本体
１０２ 撮像素子
１０３ 表示モニタ
１０４ カメラマウント部
２０１ 交換レンズ装置
２０２ ズームレンズ系
２０３ 鏡筒
２０４ レンズマウント部 
【図１】
2015043016.tif 000005
【図２】
2015043016.tif 000006
【図３】
2015043016.tif 000007
【図４】
2015043016.tif 000008
【図５】
2015043016.tif 000009
【図６】
2015043016.tif 000010
【図７】
2015043016.tif 000011
【図８】
2015043016.tif 000012
【図９】
2015043016.tif 000013
【図１０】
2015043016.tif 000014
【図１１】
2015043016.tif 000015
【図１２】
2015043016.tif 000016
【図１３】
2015043016.tif 000017
【図１４】
2015043016.tif 000018
【図１５】
2015043016.tif 000019
【図１６】
2015043016.tif 000020
【図１７】
2015043016.tif 000021
【図１８】
2015043016.tif 000022
【図１９】
2015043016.tif 000023
【図２０】
2015043016.tif 000024
【図２１】
2015043016.tif 000025
【図２２】
2015043016.tif 000026